(57)【要約】シート形体の製品を分配するための容器であって、  （ｉ）分配されるシート形体の製品；及び  （ｉｉ）シート形体の製品用の分配開口であって、開口が互いに対向する横方向縁部を有し、横方向縁部の少なくとも１つが回転可能なローラを含み、横方向縁部がシート形体の製品を制御可能に非下向き方向に分配するためのニップ通路を提供するものである、分配開口を含む。
2006515198.tif 000002
【特許請求の範囲】
【請求項１】
シート形体の製品を分配するための容器であって、
（ｉ）分配される前記シート形体の製品；及び
（ｉｉ）シート形体の製品のための分配開口であって、前記開口が、互いに対向する横方向縁部を有し、前記横方向縁部の少なくとも１つが回転可能なローラを含み、前記横方向縁部が、前記シート形体の製品を制御可能に非下向き方向に分配するためのニップ通路を提供するものである分配開口、
を含む、容器。
【請求項２】
前記横方向縁部の両方が回転可能なローラを含む、請求項１に記載の容器。
【請求項３】
シート形体の製品を分配するための容器であって、
（ａ）分配前の前記シート形体の製品を貯蔵するための前記容器の内部空洞を画定する複数の壁；及び
（ｂ）前記複数の壁の１つ内の分配開口であって、前記開口は前記内部空洞から前記容器外の環境へ通ずるものであり、前記開口が、互いに対向する横方向縁部を有し、前記横方向縁部の少なくとも１つが回転可能なローラを含み、前記横方向縁部が前記シート形体の製品を制御可能に分配するためのニップ通路を提供する分配開口、
を含むものである、容器。
【請求項４】
（ｃ）前記複数の壁の１つに関連付けられた閉止体であって、前記閉止体は、閉止位置にある時に、前記開口及び前記横方向縁部を封止状態に覆うものである閉止体、
を更に含む、請求項３に記載の容器。
【請求項５】
（ｄ）前記回転可能なローラに連結されたモータ；及び
（ｅ）任意に、前記モータに連結されたセンサーであって、前記センサーの作動に応じて、前記センサーは前記回転可能なローラを回転させて前記シート形体の製品の予め定められた量を分配するのに充分に前記モータを作動させるセンサー、
を更に含む、請求項３又は請求項４のいずれかに記載の容器。
【請求項６】
シート形体の製品を分配するための容器であって、前記物品が：
（Ａ）複数の壁であって、前記複数の壁が分配前の前記シート形体の製品を貯蔵するための前記容器の内部空洞を画定し、前記複数の壁の１つは封止区分を含むデッキパネルである複数の壁；
（Ｂ）前記封止区分内の分配開口であって、前記開口が、対向する横方向縁部を有し、前記横方向縁部の少なくとも１つが回転可能なローラを含み、前記横方向縁部（複数）が前記シート形体の製品を制御可能に分配するためのニップ通路を提供する分配開口；及び
（Ｃ）前記複数の壁の１つにヒンジ式に関連付けられた蓋であって、前記蓋は前記封止区分に閉止可能に被さるものである蓋、
を含む、容器。
【請求項７】
前記回転可能なローラが、前記シート形体の製品に接触するプラスチックコーティングにより囲まれる金属コアを含む、請求項１〜６のいずれか１項に記載の容器。
【請求項８】
前記容器が、剛性又は半剛性のいずれかである、請求項１〜７のいずれか１項に記載の容器。
【請求項９】
前記シート形体の製品が、シート材料の連続ウェブであって、予め定められた間隔で前記ウェブの主軸に対して実質的に横断方向に走り且つ複数の個別ワイプを画定する、複数の破壊性の複合線により分割されているものである、請求項１〜８のいずれか１項に記載の容器。
【請求項１０】
前記シート形体の製品が、挟み込まれた複数の分離した個別ワイプである、請求項１〜８のいずれか１項に記載の容器。
【発明の詳細な説明】
【技術分野】
【０００１】
本発明は、キッチンタオル、浴室ワイプ、乳児用ワイプなどの、シート形体の製品を分配するための容器に関する。
【背景技術】
【０００２】
キッチンタオルや窓ワイプや乳児ワイプなどの使い捨てワイプ製品は、今日の社会で殆どどこにでもあるものとなり、並びにそのようなワイプ製品用の耐久性及び使い捨ての両方のディスペンサーは、従来技術内で周知であり、多数存在する。
【０００３】
ワイプ製品の分配における開発は、通常は相互に相反する２つの主要目的：（１）コスト低減、及び（２）ユーザーの便利さ向上に焦点を当てられてきた。
【０００４】
連続ウェブ形式で販売されるワイプ製品は、通常は最もコストが安く、したがって当初は最も望ましいものとみなされる。大部分の使い捨てワイプ製品は、連続ウェブとして形成されてロールからロールへの加工に供給されるので、ロール上の連続ウェブとして販売される時に（アコーディオン折畳みの容器内ウェブもある程度一般的であるが）、更なる加工の必要性が最も少なく、最も安価である。
【０００５】
不都合なことに、そのような連続ウェブ形式は、材料の分離ユニットを引きちぎる仕事、すなわち予備穿孔されたウェブ材料であっても両手及び中程度の注意を必要とすることが多い作業をユーザー自身が実施しなければならないので、ユーザーにとって比較的不便である。多数のユーザーは、乳児のおむつ交換などの他の仕事に既に関わっていて、自由になる手が無いのみならず、充分な注意を払う機会もない。そのような連続ウェブ形式には、多数の不利点があり：片手では容易に操作できず；穿孔された小片に切れたり切れなかったりジグザグになって、不均一に裂けることが多く；個々のワイプが分配開口前に時期尚早に分離することがあり（「後退」とも呼ばれる）；意図されるよりはるかに多くが間違って巻き戻されることが多く（「チェーン状態」とも呼ばれる）、余分な製品は捨てられるか、労力を費やして締まり無く再び巻かなければならない。
【０００６】
これらの不便な問題に対処するために、比較的安価な「ポップアップ」ディスペンサーが、分離した挟み込まれたワイプを分配するために開発された。そのような装置においては、ユーザーは、ディスペンサーの開口から突き出してその単一シートを分配するようになっている個々のシートの一部を掴んで引張ることを要するだけで、そのような動作は、次のシートの一部を開口に残し、次の使用のために同じような状態を提供する。
【０００７】
挟み込まれたポップアップ装置は、通常は従来の連続ウェブ装置より良く動くが、挟み込み装置も依然多数の欠点を有する。信頼性のあるポップアップ動作は、「チェーン状態」不良と「後退」不良の間の狭い範囲にしか存在しない。
【０００８】
チェーン状態は、ワイプが取り出される際に多数のワイプが間違って引き出されて製品分離に失敗する時に生じ；後退は、ワイプが分配開口前で時期尚早に分離して、手の届くのが難しい及び再び開口を通すのが難しいパッケージの内側へ次のワイプが間違って後退する時に生じる。様々な不良の間に生じる狭い操作窓の中に合わせるために、そのような挟み込みポップアップ装置は、様々な設計考慮点の、例えば分配開口の大きさ及び／又は形状、製品のオーバーラップの程度、製造、輸送、及び／又は貯蔵の間の圧縮、基材特性、並びにウェットタイプシートの場合は製品荷重などの、微調整及びバランスを必要とする。更に、そのようなシステムは、狭い範囲の平均的消費者の相互作用（例えば、どのくらいの速度及びどのような規則性で消費者がワイプを引き出すかなど）しか予定していない。したがって、狭い操作窓の中に合わせるために微調整を必要とする程度は、そのようなパッケージの製造、輸送、又は貯蔵いずれかの間の変化、あるいは消費者がワイプを使用する方法の変化によって混乱させられることがあるので、チェーン状態又は後退の発生する可能性が増大する。
【０００９】
挟み込みワイプ装置では、連続ウェブ装置に対するそれらに固有のコスト上の不利点は決して完全に克服されない。分離して折り畳んで挟み込みをして積み上げなければならない分離性ワイプは、どうしてもより多くの加工を必要とし、したがって通常、連続装置より高価なものになる。
【発明の開示】
【発明が解決しようとする課題】
【００１０】
それ故に、連続ウェブのコスト有効性とこれまではポップアップ挟み込みシート分配装置だけに関連していた便利さ及びより高い信頼性とが組み合わされた、ワイプを分配するための装置に対する必要性が残っている。
【課題を解決するための手段】
【００１１】
本発明の第一の態様では、
（ｉ）分配されるシート形体の製品；及び
（ｉｉ）シート形体の製品のための分配開口であって、開口が互いに対向する横方向縁部を有し、横方向縁部の少なくとも１つが回転可能なローラを含み、横方向縁部がシート形体の製品を制御可能に非下向き方向に分配するためのニップ通路を提供するものである分配開口を含む、シート形体の製品を分配するための容器が提供される。
【００１２】
本発明の第二の態様では、
（ａ）分配前の製品を貯蔵するための容器の内部空洞を画定する複数の壁；及び
（ｂ）複数の壁の１つ内の分配開口であって、開口は内部空洞から容器外の環境へ通ずるものであり、開口が互いに対向する横方向縁部を有し、横方向縁部の少なくとも１つが回転可能なローラを含み、横方向縁部がシート形体の製品を制御可能に分配するためのニップ通路を提供するものである分配開口を含む、シート形体の製品を分配するための容器が提供される。
【００１３】
本発明の第三の態様では、
（Ａ）分配前の製品を貯蔵するための容器の内部空洞を画定する複数の壁であって、前記複数の壁の１つは封止区分を含むデッキパネルである複数の壁；
（Ｂ）封止区分内の分配開口であって、前記開口が互いに対向する横方向縁部を有し、横方向縁部の少なくとも１つが回転可能なローラを含み、横方向縁部がシート形体の製品を制御可能に分配するためのニップ通路を提供するものである分配開口；及び
（Ｃ）複数の壁の１つにヒンジ式に関連付けられた蓋であって、蓋は封止区分に閉鎖可能に被さるものである蓋を含む、シート形体の製品を分配するための容器が提供される。
【００１４】
引用される全ての文献は、関連部分において、参考として本明細書に組み込まれるが、いずれの文献の引用も、それが本発明に関する先行技術であるという承認として解釈されるべきではない。
【００１５】
本明細書全体中で提示されるあらゆる限界は、場合に応じて、更に低い又は更に高いあらゆる限界を包含しており、そのような更に低い又は更に高い限界が本明細書に明示的に記載されていたかの如くであることを理解されるべきである。本明細書全体中で提示されるあらゆる範囲は、そのような広い範囲内に入るあらゆる更に狭い範囲を包含しており、そのような更に狭い範囲が全て本明細書に明示的に記載されていたかの如くである。
【００１６】
異なって指定しない限り、全てのパーセント、比率、及び割合は重量基準であり、全ての温度は摂氏温度（℃）である。すべての測定値は、異なって指定しない限り、ＳＩ単位による。
【発明を実施するための最良の形態】
【００１７】
添付の図面と関連してなされた本発明の説明を参照することにより、本発明の上述及び他の構成及び目的、並びにそれらを達成する方法がより明白になり、本発明自体がよりよく理解されるであろう。
【００１８】
本明細書で使用する時、「下向き方向」という語句は、重力ベクトルの４５度以内の方向を意味する。「非下向き方向」という語句は、下向き方向ではないいずれかの方向を意味する。
【００１９】
「ニップ通路」により、本明細書において、分配開口の横方向縁部間の特定の距離を意味し、その間を通るシート形体の製品の通路に利用できる間隔は、シート形体の製品が両方の横方向縁部に同時に接触してそのような接触により僅かに圧縮されるようなものである。
【００２０】
「僅かに圧縮される」により、本明細書において、選択されたシート形体の製品が引き出し力に応じてニップ通路を通過するが、容器内に残るシート形体の製品は「チェーン状態」又は「後退」にならないことを意味する。１つの好ましい実施形態では、ニップ通路を通過する時のシート形体の製品としての圧縮は、ニップ通路を通過する前の厚さの約０．５％〜約５０％に、シート形体の製品の厚さを減少する。
【００２１】
本明細書で使用する時、用語「含む」は、本発明を実施するに際して、多様な構成要素、成分、又は工程を結合して使用できることを意味する。従って、用語「含む」は、オープンエンドであり、より制限的な用語「から本質的に成る」及び「から成る」を包含する。
【００２２】
図１、２、及び３は、本発明の１つの可能な実施形態を示す。容器１０が、任意の蓋２０、前壁６０、後ろ壁７０、対の側壁８０及び９０、底壁又は基部１００、並びに頂部壁又はデッキパネル５０を備える。全ての壁、すなわち前壁６０、後ろ壁７０、対の側壁８０及び９０、基部１００、並びにデッキパネル５０は、集合的に容器本体と呼ぶことができる。容器本体は、いかなる好適な材料をも、例えば：アクリレート、天然及び合成ゴム、ポリウレタン類、ポリエチレンテレフタレート（ＰＥＴ）などのポリエステル類、ポリスチレン類、ポリプロピレンなどのポリオレフィン類、及び積層体などのプラスチック組み合わせ体などがあるがこれらに限定されないプラスチック；金属；紙又は厚紙、金属箔、ポリエチレン、及び／又は紙などがあるがこれらに限定されない積層体；木材；並びにこれらの組み合わせなどを含むが、これらに限定されない。本発明の１つの任意実施形態では、容器本体は、剛性である。本発明の別の任意の実施形態では、容器本体は、半剛性である。容器本体の様々な部品は、同一材料で作成しても、異なる材料で作成してもよい。
【００２３】
本発明の容器は、シート形体の製品の貯蔵及び分配が可能な、いかなる好適な形状及び大きさにも、例えば立方体、直方体、多面体、球形、半球形、ドーム状、角錐、円錐、円筒形、円錐台、角錐台、及びこれらの組み合わせなどとすることができるが、これらに限定されない。図１〜１８に示す実施形態は、本発明の可能な実施形態の単なる幾つかの例であって、容器の形状又は物理形体についていかなる形式にも限定することを意図するものではない。
【００２４】
デッキパネル５０は、横方向縁部３０及び３５を有する分配開口を含み、これを通ってシート形体の製品（又は製品）４０が分配される。横方向縁部の少なくとも１つは、回転可能なローラを含む、すなわち横方向縁部３０及び３５の少なくとも１つは、回転可能なローラである。図１に示す本発明の１つの任意実施形態では、デッキパネル５０は、横方向縁部３０及び３５を有する分配開口を含む封止区分５５を有する。封止区分とは、任意の蓋が閉止位置にある時にそれが少なくとも被さる、デッキパネルの部分である。図１の任意の蓋２０は、閉止位置にある時、封止区分５５だけのみならずデッキパネル５０全体に被さる。別の方法としては、任意の実施形態には示されていないが、任意の蓋は、閉止位置にある時、封止区分だけ、又は封止区分とデッキパネルの一部に被さる。
【００２５】
本発明の１つの任意実施形態では、横方向縁部は、水分などの流体が容器の内部空洞などの容器本体のシート形体の製品を貯蔵する部分へ進入するのを遅延させる、より好ましくは防止する、封止体として作用する。さらに加えて、この任意の実施形態では、横方向縁部は、基材から物質の組成物が蒸発損失することが原因となってシート形体の製品が時期尚早に乾燥するのを遅延させる、より好ましくは防止する。用語「物質の組成物」及び「基材」は、本明細書で詳細に説明される。
【００２６】
各横方向縁部は、同一形状でも、異なる形状でもよい。さらに、形状は、均一であってもよく、あるいは大きさ、形状、及び向きが変化してもよい。更にその上、各横方向縁部は、中空であって外側表面だけを有しても、中実でも、又はその形状内に空隙を含んでもよい。横方向縁部は、同一でも異なってもよく、すなわち、一方が中空で他方が中実でも、一方が中実で他方がその中に空隙を有してもよい。回転可能なローラではない横方向縁部は、独立に、例えばこぶ、突出部、隆起部、唇部、狭部、これらの組み合わせなどであってもよい。回転可能なローラではない横方向縁部に好適な形状の追加例として、円筒形、円錐形、円錐台、球形、涙形、五角形、六角形、ダイアモンド形、丸み付きダイアモンド形、犬の骨形、及びこれらの組み合わせなどが挙げられるが、これらに限定されない。回転可能なローラである横方向縁部（単数又は複数）は、いかなる好適な形状でも、例えば円筒形、円錐形、円錐台、球形、涙形、五角形、六角形、ダイアモンド形、丸み付きダイアモンド形、犬の骨形、及びこれらの組み合わせであってもよいが、これらに限定されない。横方向縁部は、同一形状でも、異なる形状でもよい。例えば、一方の横方向縁部が狭部であって、他方が回転可能な円筒形ローラのものや、一方の横方向縁部が回転可能な円筒形ローラであって、他方が犬の骨形状の回転可能なローラのものがある。
【００２７】
本発明の１つの任意実施形態では、各横方向縁部は、任意に、突出部及び／又は窪みの繰返しパターンをその表面上に有してもよく、これらは形状が規則的でも不規則でもよい。１つの任意実施形態では、一方の横方向縁部上の繰返しパターンは、他方の横方向縁部上のパターンの反対である、すなわち横方向縁部は、雄型／雌型又は雌型／雄型の対を有する。これらの繰返しパターンを含む形状の非限定的な例として、ドーム、ピラミッド、ダイアモンド、角柱、円筒、涙形円筒などの円筒形、円錐、歯、円錐台、球形、五角形、六角形、ダイアモンド形、丸み付きダイアモンド形、犬の骨、及びこれらの組み合わせなどが挙げられる。１つの任意実施形態では、横方向縁部は、対の噛み合う円筒形歯車であってもよく、すなわち、横方向縁部は、歯を有する対の回転可能な円筒であり、及び雄型／雌型又は雌型／雄型の対である。
【００２８】
横方向縁部は、いかなる好適な材料で作成されてもよく、積層体、合金、又は材料の組み合わせなどが挙げられるが、これらに限定されない。各横方向縁部は、同一材料で作成されても、異なる材料で作成されてもよい。材料の選択は、多数の要因によって決まるものであり、例えば：シート形体の製品は何か、より具体的には基材及び物質の組成物内に存在する成分は何か；製品をシート形体に保持するのに必要な力；コスト；耐久性；どの消費者がディスペンサーを使用するか（例えば、大人、子供等）などがあるが、これらに限定されない。本発明の１つの任意実施形態では、横方向縁部は、ナイロン、アクリレート、天然及び合成ゴム、ポリウレタン類、ポリエステル類、ポリスチレン類、ポリプロピレンなどのポリオレフィン類、及びプラスチックの組み合わせなどがあるがこれらに限定されないプラスチック；ステンレス鋼、手術鋼、工具鋼などの鋼、銅、黄銅、アルミニウムなどがあるがこれらに限定されない金属；黒鉛複合体、ガラス繊維などの複合材料；並びにこれらの組み合わせで作成されてもよい。１つの任意実施形態では、横方向縁部の少なくとも１つは、シート形体の製品に接触する第二の材料により包囲される１つの内側材料を含んでもよい。この第二の包囲材料は、内側材料に永久的に取り付けられても、又は金属若しくはプラスチックのスリーブのように取外し可能であってもよい。この非限定的な例には、シート形体の製品に接触するプラスチックコーティングにより囲まれた、本明細書で詳細に説明する、金属コアを含む対の回転可能なローラである横方向縁部があり、金属コアは、任意に全面的又は部分的に中空であってもよい。
【００２９】
分離した個別ワイプなどの製品４０を容器１０から取り出すためには、消費者は、製品４０を掴んで、基部１００から実質的に遠くへ力を及ぼし、これにより容器１０から製品４０を取り出す。この力は、非下向き力であることが好ましく、より好ましくは、その主要成分ベクトルが製品４０に実質的に平行な力である。本発明の容器は、消費者がどのくらいの早さでどのような規則性でワイプを引き出すかなどの、消費者の多種多様な相互作用の変動を許容可能である。
【００３０】
本発明の別の任意実施形態では、横方向縁部は、シート形体の製品を分配している間に、物質の組成物の全てではないが幾分かをシート形体の製品から除去するのに充分な力を及ぼすことができる。この除去により、シート形体の製品が容器の内部空洞などの容器本体内にある間は、物質の組成物が過剰に存在することが許容される。物質の組成物のこの過剰量は、物質の組成物のいずれかの損失、例えばシート形体の製品を取替えている間の流失、蒸発、容器反転などに起因するがこれらに限定されない損失を考慮して、追加可能である。
【００３１】
本発明の１つの任意実施形態では、容器は閉止体を含んでもよい。閉止体は、壁の１つに関連付けられて、閉止位置にある時に、開口部及び横方向縁部を封止状態に覆う。好適な閉止体の例として、蓋、再密閉可能なラベルなどが挙げられるが、これらに限定されない。図１は、任意の蓋２０の形体の、１つのそのような任意の閉止体を示す。
【００３２】
図１においては、任意の蓋２０は、固定軸線周りで移動可能であって、製品４０へのアクセスを可能にする。任意の蓋２０などの閉止体は、容器１０に永久的に取り付けられても、取外し可能でもよい。すなわち、任意の蓋２０は、容器本体の壁の１つと関連付けられる。取付けは、ヒンジ、曲げ点、回転点、ばねなどの形態とすることができる。このヒンジは又、任意に、ヒンジ開放補助具又は自動開放補助具を含んで、事象の発生例えば消費者がボタンを押すなどにより、任意の蓋を充分に開放してもよい。閉止体は又、任意に、閉止体を容器に固定する手段を含んでもよく、錠前手段、舌部と溝、ラッチ、接着剤（例えば、閉止体が再密閉可能なラベルである時）、雄部材と雌部材などが挙げられるが、これらに限定されない。本発明の１つの任意実施形態では、例えば錠前手段などによる閉止体を容器に固定するための任意の手段は、任意のヒンジ開放補助具又は自動開放補助具と組み合わされて、消費者がシート形体の製品に容易にアクセスできる容器とする。蓋又は再密閉可能なラベルなどの閉止体は、いかなる好適な材料のものでもよく、例えば、アクリレート、天然ゴム又は合成ゴム、ポリウレタン類、ポリエステル類、ポリスチレン類、ポリプロピレンなどのポリオレフィン類、高密度ポリエチレン、ポリエチレン積層体、及びプラスチックの組み合わせなどがあるがこれらに限定されないプラスチック；金属；紙若しくは厚紙とポリエチレン、金属箔及びポリエチレン及び／又は紙などがあるがこれらに限定されない積層体；木材；あるいはこれらの組み合わせなどがあるが、これらに限定されない。本発明の１つの任意実施形態では、閉止体は、容器本体と同一材料で作成される。本発明の別の任意実施形態では、閉止体は、容器本体とは異なる材料で作成される。
【００３３】
閉止体は、閉止位置にある時に、横方向縁部を有する分配開口を覆って、本明細書で説明するようないずれかの物質の組成物がシート形体の製品から蒸発する損失を最小限にするのが好ましい。例えば、図１においては、任意の蓋２０が、閉止位置にある時、横方向縁部３０及び３５を有する分配開口を覆って、いずれかの物質の組成物が製品４０から蒸発する損失を最小限にする。
【００３４】
閉止体は又、閉止位置にある時、容器外側からの水、空気、並びに他の液体及び／又は流体がシート形体の製品に接触するのを防止する作用をするのが好ましい。例えば、図１では、任意の蓋２０が閉止位置にある時、横方向縁部３０及び３５を有する分配開口を覆って、容器１０の外側からの水、空気、並びに他の液体及び／又は流体が製品４０に接触するのを防止する。
【００３５】
本発明の図示しない任意の実施形態では、シート形体の製品がこれを通って分配される横方向縁部を有する分配開口は、閉止体上にある。本発明の図示しない別の任意実施形態では、一方の横方向縁部は蓋などの閉止体上にあり、他方の横方向縁部は、デッキパネル上にある。蓋を閉じることにより、横方向縁部がニップ通路を形成することができ、これにより、消費者は、シート形体の製品を分配することができる。この任意の横方向縁部の分離により、容器内部へ容易にアクセスして、例えば、シート形体の製品の交換又は補充、任意の電池の交換、物質の追加組成物の添加などが可能になる。
【００３６】
蓋又は再閉止可能なラベルなどの閉止体、ワイプ用の容器本体、蓋やヒンジなどの取付けがあるがこれらに限定されない存在する任意機構などに関する追加情報は、米国特許意匠第４３７，６８６号（バルザール（Balzar）、２００１年２月２０日発行）、意匠第４４３，５０８号（ブラーテン（Braaten）、２００１年６月１２日発行）、意匠第４４３，４５１号（バック（Buck）、２００１年６月１２日発行）、意匠第４２１，９０１号（ヒル（Hill）、２０００年３月２８日発行）、意匠第４２１，９０２号（ヒル（Hill）、２０００年３月２８日発行）、意匠第４１６，７９４号（コーマック（Cormack）、１９９９年１１月２３日発行）、意匠第４１４，６３７号（アムンドソン（Amundson）、１９９９年１０月５日発行）、意匠第４４５，３２９号（ゼートッフ（Zethoff）、２００１年７月２４日発行）、米国特許第３，９８２，６５９号（ロス（Ross）、１９７６年９月２６日発行）、同第３，９６７，７５６号（バリシュ（Barish）、１９７６年７月６日発行）、同第３，９８６，４７９号（ボーデッカー（Boedecker）、１９７６年１０月１９日発行）、同第３，９９４，４１７号（ボーデッカー（Boedecker）、１９７６年１１月３０日発行）、同第６，２６９，９７０号（フアング（Huang）、２００１年８月７日発行）、同第５，７８５，１７９号（バクツィンスキー（Buczwinski）、１９９８年７月２８日発行）、同第５，３６６，１０４号（アームストロング（Armstrong）、１９９４年１１月２２日発行）、同第５，３２２，１７８号（フース（Foos）、１９９４年６月２１日発行）、同第５，０５０，７３７号（ジョシルン（Josyln）、１９９１年９月２４日発行）、同第４，９７１，２２０号（カウフマン（Kaufman）、１９９０年１１月２０日発行）、同第６，２９６，１４４号（タナカ（Tanaka）、２００１年１０月２日発行）、同第６，３１５，１１４号（ケック（Keck）、２００１年１１月１３日発行）、同第４，８４０，２７０号（カプト（Caputo）、１９８９年６月２０日発行）、同第４，４７１，８８１号（フォスター（Foster）、１９８４年９月１８日発行）、同第５，６４７，５０６号（ジュリアス（Julius）
、１９９７年７月１５日発行）、同第６，４０１，９６８号（フアング（Huang）、２００２年６月１１日発行）、同第６，２６９，９６９号（フアング（Huang）、２００１年８月７日発行）、同第６，４１２，６３４号（テレスカ（Telesca）、２００２年７月２日発行）、同第５，７９１，４６５号（ニキ（Niki）、１９９８年８月１１日発行）、及び同第６，０９２，６９０号（ビトウフト（Bitowft）、２０００年７月２５日発行）、並びにＰＣＴ国際公開特許ＷＯ００／２７２６８（２０００年５月１８日公開、プロクターアンドギャンブル社（The Procter & Gamble Co.）に譲渡）、ＷＯ０２／１４１７２（２００２年２月２１日公開、プロクターアンドギャンブル社（The Procter & Gamble Co.）に譲渡）、及びＷＯ９９／５５２１３（１９９９年１１月４日公開、プロクターアンドギャンブル社（The Procter & Gamble Co.）に譲渡）にて見ることができる。
【００３７】
図４は、図１の容器の一代替実施形態の内部空洞４２を示す、２−２に沿う断面図である。図４では、製品４０は、挟み込まれた複数の分離した個別ワイプ４３、４４、４６、及び４８である。挟み込まれた分離した個別ワイプは、Ｃ折り畳み、Ｓ折り畳み、Ｚ折り畳みなどの、様々な既知の折り畳みパターンのいずれかで折り畳み可能である。図４では、複数の分離した個別ワイプ４３、４４、４６、及び４８が、「Ｚ折り畳み」構成で挟み込みされている。Ｚ折り畳み構成により、挟み込まれた分離した個別ワイプの折り畳みられた積み重ねが、重なり合い部分を有して挟み込み可能になる。代表的な折り畳みパターンが、米国特許第６，２１３，３４４号（ヒル（Hill）、２００１年４月１０日発行）、同第６，２０２，８４５号（ヒル（Hill）、２００１年３月２０日発行）、同第５，３３２，１１８号（マッケンフス（Muckenfuhs）、１９９４年７月２６日発行）、同第６，０３０，３３１号（ザンダー（Zander）、２０００年２月２９日発行）、同第５，９６４，３５１号（ザンダー（Zander）、１９９９年１０月１２日発行）、及び同第５，５４０，３３２号（コパッツ（Kopacz）、１９９６年７月３０日発行）において更に詳細に開示されている。あるいは、挟み込まれた分離した個別ワイプは、Ｚ折り畳みとＣ折り畳みの交互パターンなどの交互構成で折り畳まれてもよい。この交互折り畳みパターンの例は、米国特許第６，２５０，４９５号（バンドウ（Bando）、２００１年６月２６日発行）において見ることができる。
【００３８】
図５は、図４の部分６の拡大図であって、横方向縁部の製品とニップ通路の間の関係を示す。製品４０は、横方向縁部３０と３５により形成されるニップ通路９５０を通過する前の厚さＬ１を有する。製品４０は、横方向縁部３０及び３５両方と同時に接触して、そのような接触により僅かに圧縮されている間、厚さＬ２を有する。この厚さＬ２は、分配開口の横方向縁部間の距離であるニップ通路９５０の寸法であり、その間を通る製品の通路に利用可能な間隔は、製品がそのような接触により僅かに圧縮されるようなものとなっている。横方向縁部３０と３５の間を通過した後で、製品４０は、厚さＬ３を有する。厚さＬ１は、厚さＬ３にほぼ等しく、その両方ともＬ２より大きい。
【００３９】
理論に束縛されるものではないが、分配中には、横方向縁部は、シート形体の製品上でそれ自体により発生される力より大きい特定の力（すなわち、せん断、圧縮、摩擦、垂直）を、ニップ通路を通過する時のシート形体の製品上に発生させ、これにより、製品が「チェーン状態」又は「後退」を受けながら容器内に残ることを防止すると考えられている。
【００４０】
ニップ通路の寸法は、多数の要因に依存して変更されるものであり、例えばシート形体の製品（すなわち、基材及び／又は物質の組成物）、横方向縁部（組成、形状、重量、物理特性等）などによるが、これらに限定されない。いずれの好適なニップ通路も、製品が分配される時に横方向縁部により製品上に発生される圧縮、摩擦、及びせん断力が、いかなる製品と製品の界面における摩擦及びせん断力よりも著しく大きいことが確実となる距離であることを必要とする。
【００４１】
ニップ通路は、分配の間に変化してもよい、すなわち、横方向縁部間の距離が或る距離範囲内で変化してもよいことを理解する必要がある。例えば、横方向縁部が涙形断面を有する対のローラである場合、製品が分配されると、ローラの回転が、対のローラ間の距離を或る距離範囲内で変化させる。同様に、横方向縁部の１つがその表面上に突出部及び／又は窪みの繰返しパターンを含む場合、製品が分配されると、横方向縁部の表面上の変動が、横方向縁部間の距離を或る距離範囲内で変化させる。しかしながら、いかなるそのような変動も、シート形体の製品が両横方向縁部と同時に接触してそのような接触により僅かに圧縮されるようなものであり、本発明の範囲内である。
【００４２】
図６は、図１の容器の別の代替実施形態の内部空洞４２を示す、２−２に沿う断面図である。図６においては、製品４０は、予め定められた間隔でウェブの主軸に対して実質的に横断方向に走って個別ワイプを画定する複数の破壊性の線により分割されている、シート材料の連続ウェブである。図６は又、２つの任意の機構、モータ９００及びセンサー９１０を示しており、この両方については、本明細書において更に詳細に説明される。
【００４３】
図７は、図１の容器１０の一代替実施形態の側面図である。デッキパネル１１０は、容器１０の内部空洞４２へのアクセスを可能にする方法で、位置１１５の周りを移動可能である。容器１０の内部空洞４２へのこのアクセスによって、消費者は、例えば、製品４０を再充填及び／又は交換することができる。図６では、デッキパネル１１０は、永久的取付けであるが、位置１１５において移動可能に容器１０に取り付けられている。この取付けは、ヒンジ、曲り点、回転点、ばねなどであってもよい。しかしながら、任意の図示しない代替実施形態では、デッキパネルは、容器の内部空洞４２へのアクセスを可能にするために、容器の残りから取外し可能であってもよい。デッキパネル１１０は又、任意に、デッキパネル１１０を容器１０に固定するための手段を含んでもよく、例えば錠前手段、ラッチ、舌部と溝、雄部材と雌部材などが挙げられるが、これらに限定されない。好適な固定手段は、本明細書において更に説明される。
【００４４】
図８は、図１の容器１０の一代替実施形態の側面図であって１つの横方向縁部を示しており、この場合は回転可能なローラ１２０が、横方向縁部３０及び製品４０に近接する位置から一時的に移動されている。回転可能なローラ１２０は、容器１０の内部空洞４２へのアクセスを可能にするために、デッキパネル５０の平面内で移動可能であってもよい。図に示されていない本発明の代替実施形態では、回転可能なローラなどの１つの横方向縁部は、デッキパネル５０から取外し可能であって、これにより、容器１０の内部空洞４２へのアクセスが可能になる。容器１０の内部空洞４２へのこのアクセスによって、消費者は、例えば、製品４０を再充填及び／又は交換することができる。例えば分離した個別ワイプのような製品４０の分配を容易にするために、回転可能なローラ１２０は、製品４０の分配の前に図１に示される位置のような製品４０に近接する位置に戻されて、横方向縁部３０と共にニップ通路を形成することができる。製品４０と接触する回転可能なローラ１２０のこの復帰は、消費者による手動によりなされても、戻りばねなどのばねによる自動でなされてもよい。
【００４５】
本発明においては、横方向縁部の少なくとも１つは、回転可能である。すなわち、シート形体の製品が分配される時、横方向縁部の少なくとも１つが、回転する。横方向縁部の回転の方向は、シート形体の製品の分配を助ける方向である。通常は、シート形体の製品と接触する点における横方向縁部の回転方向は、シート形体の製品が分配される方向と同一である。本発明の１つの好ましい実施形態では、回転する横方向縁部は、回転可能なローラである。本発明の別の好ましい実施形態では、横方向縁部は、対の回転可能なローラである。図９は、図１の容器１０の一代替実施形態の側面図であり、横方向縁部は、対の回転可能なローラ１３０及び１４０である。回転可能なローラ１３０は、方向１５０すなわち時計方向に回転し、一方、回転可能なローラ１４０は、方向１６０すなわち反時計方向に回転する。回転可能なローラ１３０及び１４０は、横方向縁部と同一材料で作成されてもよく、本明細書において詳細に説明されるようなものである。本発明の１つの好ましい実施形態では、対のニップ化されたローラ１３０及び１４０は、製品４０に接触するプラスチックコーティングで囲まれた金属コアを含む。
【００４６】
本発明の１つの任意実施形態では、容器は、任意に、回転可能なローラに連結されたモータを備えてもよく、あるいは任意に、２つの回転可能なローラが存在する時には、１つ又は両方の回転可能なローラに連結されたモータを備えてもよい。本発明の別の任意実施形態では、２つの回転可能なローラが存在する時、容器は、任意に、回転可能なローラにそれぞれが連結された２つのモータを備えてもよい。本発明の一実施形態では、任意のモータは、回転可能なローラを回転させてシート形体の製品を分配してもよく、一方、別の実施形態では、任意のモータは、回転可能なローラが回転するのを停止するブレーキとして作用してもよく、あるいは第三の実施形態では、任意のモータは、回転可能なローラのブレーキと回転の何らかの組み合わせであってシート形体の製品を分配してもよい。モータは、いかなる好適なモータであってもよく、例えば摩擦モータ、巻上げモータ、時計作用モータ、電動（交流及び直流の両方）、及びこれらの組み合わせなどがあるが、これらに限定されない。任意のモータに加えて、追加任意機構が、本発明の容器内に存在してもよく、例えば、歯車、太陽エネルギーや電池や主電源や風力などの電源；ブレーキ、カム、リンク機構、又はばねシステム；及びこれらの組み合わせなどがあるが、これらに限定されない。
【００４７】
本発明の別の任意実施形態では、１つの回転するローラは、又は第二の任意の回転するローラが存在する場合は２つのローラは、ブレーキシステムを含んでもよく、例えば、カム、ラチェット、リンク機構、ばねシステムなどがあるが、これらに限定されない。任意のブレーキシステムは、所望量のシート形体の製品が分配された後で作動してもよい。本発明の別の他の任意実施形態では、１つの回転するローラは、又は第二の任意の回転するローラが存在する場合は２つのローラは、回転するローラが一方向だけに回転可能なように、抑制されてもよい。その上に、本発明の別の任意実施形態では、回転するローラは、任意に、歯車装置を含んでもよい。
【００４８】
本発明の別の任意実施形態では、センサーが存在してもよい。センサーは、回転可能なローラ、存在するいずれかの任意ブレーキシステム、及び／又は存在するいずれかの任意モータの１つ以上に連結されてもよい。センサーは、作動すると、例えば、モータが対の回転可能なローラを回転させるように指令して、予め定められた量の分離した個別ワイプなどのシート形体の製品を分配する。センサーは、いかなる好適なセンサーであってもよく、例えば、光学；音声認識などの音；動作；熱又は赤外線；近接；回転ローラ又はシート形体製品の移動距離などの移動；回転；並進；及びこれらの組み合わせなどがあるが、これらに限定されない。１つの任意実施形態では、音センサーは、手たたきなどのいずれかの音、又は「ワイプ」などの特定の声指示に応じてもよい。シート形体の製品の予め定められた量は、特定の長さであってもよく、分離性個別ワイプの数、１、２、若しくはより多い数などでもよい。さらに加えて、予め定められた量は、センサーにより受け止められた情報に基づいても、例えば、センサーが音センサーである場合、「ワイプ２枚」という発声に基づいて、容器が分離した個別ワイプ２枚を分配してもよい。
【００４９】
図１０の本発明の容器の一実施形態の側面図では、容器２００が、前壁２９０と、後ろ壁２７０と、対の側壁の内の１つだけが見える、すなわち側壁２８０と、底壁又は基部２９５と、頂部壁又はデッキパネル２２５とを含む。全ての壁、すなわち前壁２９０、後ろ壁２７０、側壁２８０を含む対の側壁、基部２９５、及びデッキパネル２２５は、集合的に容器本体と呼ぶことができる。容器本体は、本明細書で詳細に説明するような、いずれかの好適な材料を含むことができる。その上、この任意実施形態の容器２００は、本明細書で説明した任意の蓋に類似する、任意の蓋（図示せず）を含んでもよい。
【００５０】
デッキパネル２２５は、２つのデッキ部材、第一のデッキ部材２２０及び第二のデッキ部材２４０を含む。第一のデッキ部材２２０及び第二のデッキ部材２４０は、対向する横方向縁部２１０及び２３０をそれぞれ有し、これらは、製品２６０がその間で分配されるニップ通路を形成する。横方向縁部の少なくとも１つが回転可能なローラを含むが、本発明の一代替実施形態では、横方向縁部は、任意に、対の回転可能なローラを含んでもよい。横方向縁部２１０及び２３０並びに任意の対の回転可能なローラに関する追加情報は、本明細書で説明され得る。
【００５１】
第二のデッキ部材２４０は、位置２５０において容器本体に取り付けられて、方向矢２４２に示されるように図９の平面内で移動可能である。第一のデッキ部材２２０は、前壁２９０に取り付けられて示され、第二のデッキ部材２４０のように移動可能ではない。位置２５０は、その回りを第二のデッキ部材が移動する点であって、例えばヒンジ、支点、曲り点、回転点、ばねなどとすることができる。位置２５０は又、任意に、ヒンジ開放補助具又は自動開放補助具を含んでもよく、これは、事象の発生例えば消費者がボタンを押すなどにより、第二のデッキ部材を充分に開放する。第二のデッキ部材２４０のこの移動により、容器２００の内部空洞２４５へのアクセスが可能になる。容器２００の内部空洞２４５へのこのアクセスによって、消費者は、例えば製品２６０を再充填及び／又は交換することができる。第二のデッキ部材２４０は、例えば分離した個別ワイプのような製品２６０の分配を助長するために、製品２６０の分配の前に図１０に示される位置などのシート形体の製品２６０に近接する位置に戻されて、横方向縁部２３０が他の横方向縁部２１０と共にニップ通路を形成することが可能になる。第二のデッキ部材２４０及び横方向縁部２３０のこの復帰並びに製品２６０との接触は、消費者による手動でなされても、戻りばねなどのばねによる自動でなされてもよい。位置２５０がどのようなものかについての追加情報は、本説明書で説明され得る。
【００５２】
本発明の図示されない任意実施形態では、第一のデッキ部材及び第二のデッキ部材は両方とも、移動可能である。あるいは、本発明の別の図示されない任意実施形態では、移動可能な第一のデッキ部材と、後ろ壁に取り付けられて第一のデッキ部材のように移動可能ではない第二のデッキ部材とを有することが可能である。
【００５３】
図１１、１２、及び１３には本発明の容器の一実施形態が示され、容器３００が、任意の蓋３１０、頂部壁３５０、後ろ壁３６０、対の側壁３８０及び３９５、底壁又は基部３７０、並びに前壁３９０を含む。全ての壁、すなわち頂部壁３５０、後ろ壁３６０、対の側壁３８０及び３９５、基部３７０、並びに前壁３９０は、集合的に容器本体と呼ぶことができる。前壁３９０は、横方向縁部３２０及び３３０を有する分配開口を含み、これを通って製品３４０が分配される。この任意の実施形態は、製品３４０が容器３００の側から分配されることを除いて、図１〜３に示される実施形態に類似である。ディスペンサーの容器本体、横方向縁部、任意の蓋、及びその他の任意構成要素は、本明細書で詳細に説明するようないかなる好適な容器本体、横方向縁部、任意の蓋、及びその他の任意構成要素をも含むことができる。
【００５４】
図１４、１５、及び１６に示される任意の実施形態は、容器本体が長方形形状を有する代わりにドーム形状であることを除いて、図１〜３、及び１０〜１３に示される実施形態に類似である。図１４、１５、及び１６には本発明の容器の別の実施形態が示され、容器４００が、本体区分４４０、及び底壁又は基部４５０を含む。容器４００は、その側上に横方向縁部４１０及び４２０を有する分配開口を含み、これを通って製品４３０が分配される。本体区分４４０及び基部４５０は、集合的に容器本体と呼ぶことができる。ディスペンサーの容器本体、横方向縁部、及びその他の任意構成要素は、本明細書で詳細に説明するようないかなる好適な容器本体、横方向縁部、及びその他の任意構成要素をも含むことができる。
【００５５】
図１７及び１８には本発明の容器の２つの代替実施形態が示されていて、図示される容器の壁は剛性ではない、すなわち、これらは、少なくとも部分的に可撓性の材料で作成されている。好適な非剛性材料は、本明細書で更に説明される。
【００５６】
図１７では、容器７００が、再閉止可能なラベル形体の閉止体７３０と、頂部壁７５０と、対の側壁７４０及び７９５と、底壁又は基部７９０と、製品７７０を入れるための容器７００の内部空洞を画定する方法で結合された対の波形部７６０及び７８０とを含む。頂部壁７５０は、横方向縁部７１０及び７２０を有する分配開口を含み、これを通ってシート形体の製品７７０が分配される。全ての壁、すなわち頂部壁７５０、対の側壁７４０及び７９５、基部７９０、並びに対の波形部７６０及び７８０は、集合的に容器本体と呼ぶことができる。ディスペンサーの容器本体、横方向縁部、再閉止可能なラベル、及びその他の任意構成要素は、本明細書で詳細に説明するようないかなる好適な容器本体、横方向縁部、再閉止可能なラベル、及びその他の任意構成要素をも含むことができる。
【００５７】
図１８では、容器８００が、再閉止可能なラベル形体の閉止体８３０と、頂部壁８８０と、対の側壁８４０及び８５０と、底壁又は基部８９０と、対の端部壁８６０及び８７０とを含む。頂部壁８８０は、横方向縁部８１０及び８２０を有する分配開口を含み、これを通ってシート形体の製品８２５が分配される。全ての壁、すなわち頂部壁８８０、対の側壁８４０及び８５０、基部８９０、並びに対の側壁８６０及び８７０は、集合的に容器本体と呼ぶことができる。ディスペンサーの容器本体、横方向縁部、再閉止可能なラベル、及びその他の任意構成要素は、本明細書で詳細に説明するようないかなる好適な容器本体、横方向縁部、再閉止可能なラベル、及びその他の任意構成要素をも含むことができる。
【００５８】
本発明の容器は又、図のいずれにも示されていない追加の任意機構を含んでもよく、これらには、シート形体の製品を分離した個別拭き布に分離することを容易にする切断器具（例えば、ギロチン、ハンマーとアンビルの配置、ブレード、のこ歯状刃など）；追加の物質組成物又はその成分のシート形体製品への適用；シート形体の製品を分配時に形成するための、横方向縁部を経由する物質の組成物の基材への添加；基材上に放出可能に含有されている物質の組成物の再配分；横方向縁部用の、特に横方向縁部が対のローラである時の潤滑手段；対の回転可能なローラを回転させる力を増加させるような、シート形体の製品を分配するのに必要な力を消費者が変化させる、増加又は減少するなどの手段；シート形体の製品を加温又は加熱するための横方向縁部及び／又は容器本体内の加熱要素；並びにこれらの組み合わせなどが含まれるが、これらに限定されない。
【００５９】
シート形体の製品：
（ｉ）基材
用語「シート形体の製品」は、物質の組成物を放出可能に担持したウェブ又は基材を意味する。用語「放出可能に担持する」は、組成物がウェブ又は基材の中及び／又は上に含まれて、その基材を絞るか、又はカウンター、子供、若しくは床などの表面をその基材でふき取るような、なにかの力をウェブ又は基材にかけることにより、ウェブ又は基材から容易に放出可能であることを意味する。基材の選択は、配合者の任意である。
【００６０】
本発明の一実施形態では、シート形体の製品の基材は、好ましくは予め定められた間隔でウェブの主軸に対して実質的に横断方向に走って複数の個別ワイプを画定する穿孔などの複数の破壊性の複合線により分割されている、シート材料の連続ウェブである。本発明の別の実施形態では、シート形体の製品の基材は、挟み込まれた複数の分離した個別ワイプである。この挟み込みは、いかなる好適な構成のものにもすることができ、本明細書で詳細に説明するような、「Ｚ折り畳み」、「Ｃ折り畳み」、「Ｓ折り畳み」など、及びこれらの組み合わせが含まれるが、これらに限定されない。
【００６１】
本明細書で使用するための基材の製造は、この発明のどの部分も形成しない。次の記述は、系統的な説明の便宜のためであり、本明細書で使用する基材のタイプを限定することは意図していない。
【００６２】
シート形体の製品の基材は、天然繊維、合成繊維、又は天然繊維と合成繊維の混合物の織物又は不織布ウェブを含むことができるが、これらに限定されない。好適な天然繊維には、木材パルプ又はパルプ繊維などのセルロース繊維、木綿、及びレーヨンが含まれるが、これらに限定されない。好適な合成繊維は、織物に一般に使用される繊維を含み、ポリエステル及びポリプロピレンの繊維のようなポリオレフィンが含まれるが、これらに限定されない。基材は、織物基材、不織布基材、発泡体、積層体、フィルム、スポンジ、及びこれらの組み合わせからなる群から選択されることが好ましい。基材の選択は、配合者の任意であり、及び多数の要因に基づき得るものであって、要因には、シート形体の製品の意図される用途、コスト、横方向縁部に使用される材料、加工性などが含まれるが、これらに限定されない。
【００６３】
様々な形成方法を使用して、本発明で使用するための基材を形成することができる。例えば、基材が繊維性である時は、エアレイなどの不織布のドライ形成技法により、又は別の方法としては抄紙機上などの湿式積層により作成可能である。その他の不織布製造技法として、接着剤結合、メルトブローン、スパンボンド、ニードルパンチ、カード、コフォーム、及び水流交絡などの技法が挙げられるがこれらに限定されず、並びに積層方法も使用することができる。
【００６４】
基材が不織布又は不織布の積層体である時は、通常は１平方メートル当り約１０グラム（ｇｓｍ）〜約１００ｇｓｍ、より好ましくは約１５ｇｓｍ〜約７５ｇｓｍ、更により好ましくは約２０ｇｓｍ〜約６５ｇｓｍの坪量を有することが好ましい。
【００６５】
一実施形態では、基材は、天然繊維、ステープル長さの合成繊維、及びラテックス結合剤などの結合剤の組み合わせを含む、エアレイド不織布基材とすることができる。乾燥繊維性ウェブは、木材パルプ繊維が約２０〜８０重量％、ステープル長さのポリエステル及び／又はポリオレフィン繊維が１０〜６０重量％、及び結合剤が約１０〜２５重量％とすることができる。
【００６６】
一実施形態では、乾燥基材は、少なくとも５０重量％の木材パルプ繊維、より好ましくは少なくとも約７０重量％の木材パルプ繊維を含むことができる。本発明で使用するのに好適な１つの特定のエアレイド不織布基材は、約７３．５重量％のセルロース繊維（平均繊維長が約２．６ｍｍのサザーン針葉樹クラフト）と、約１．３５グラム／９０００ｍ繊維長のデニール及び約２．１６ｃｍ（０．８５インチ）のステープル長さを有する約１０．５重量％のポリエステル繊維と、スチレンブタジエンコポリマーを含む約１６重量％の結合剤組成物とを含む。結合剤組成物は、ノースカロライナ州シャーロット（Charlotte,N.C.）のマラード・クリーク・ポリマース（Mallard Creek Polymers）からロビーン（Rovene）５５５０（４９％固形スチレンブタジエン）として購入可能なラテックス接着剤を使用して作成可能である。
【００６７】
本発明で使用するための１つの好適なエアレイド不織布基材として、オハイオ州シンシナティ（Cincinnati,Ohio）のプロクターアンドギャンブル社（The Procter & Gamble Co.）により市販されるパンパース（PAMPERS）ブランドの乳児用ワイプに使用されているエアレイド不織布基材がある。
【００６８】
本発明で使用するための別の好適な基材は、フィンランドのＪ．Ｗ．スオミネン社（J.W.Suominen Company）から入手可能であって、フィブレラ（FIBRELLA）の商品名で、例えばフィブレラ（FIBRELLA）３１００及びフィブレラ（FIBRELLA）３１６０で販売されている。フィブレラ（FIBRELLA）３１００は、１．５デニールのポリプロピレン繊維を５０％、及び１．５デニールのビスコース繊維を５０％含む、６２ｇｓｍの不織布ウェブである。フィブレラ（FIBRELLA）３１６０は、１．５デニールのポリプロピレン繊維を６０％、１．５デニールのビスコース繊維を４０％含む、５８ｇｓｍの不織布ウェブである。
【００６９】
次の特許が、基材に関係する開示について参照可能である：米国特許第３，８６２，４７２号（１９７５年１月２８日発行）、米国特許第３，９８２，３０２号（１９７６年９月２８日発行）、米国特許第４，００４，３２３号（１９７７年１月２５日発行）、米国特許第４，０５７，６６９号（１９７７年１１月８日発行）、米国特許第４，０９７，９６５号（１９７８年７月４日発行）、米国特許第４，１７６，４２７号（１９７９年１２月４日発行）、米国特許第４，１３０，９１５号（１９７８年１２月２６日発行）、米国特許第４，１３５，０２４号（１９７９年１月１６日発行）、米国特許第４，１８９，８９６号（１９８０年２月２６日発行）、米国特許第４，２０７，３６７号（１９８０年６月１０日発行）、米国特許第４，２９６，１６１号（１９８１年１０月２０日発行）、米国特許第４，３０９，４６９号（１９８２年１月２５日発行）、米国特許第４，６８２，９４２号（１９８７年７月２８日発行）、並びに米国特許第４，６３７，８５９号、同第５，２２３，０９６号、同第５，２４０，５６２号、同第５，５５６，５０９号、及び同第５，５８０，４２３号。
【００７０】
用語「基材」が２つ以上の基材又はウェブの積層体を含むことも、本発明の範囲内である。購入可能な積層体、又はその目的で作成された積層体も、本発明の範囲内である。さらに加えて、基材は、平坦であっても、非平坦化されていてもよい。非平坦基材及び積層体の形成は、この発明の要素ではない。次の記述は、系統的な説明の便宜のためであり、本明細書で使用する基材のタイプを限定することは意図していない。
【００７１】
１つの代替実施形態では、基材は、平方メートル当り約６２グラムの坪量を有して、約５０重量％のレーヨン繊維と、約５０重量％のポリエステル繊維、ポリプロピレン繊維、又はこれらの組み合わせを含む、水流交絡された基材を含むことができる。別の代替実施形態では、基材は、網状のスクリム又は連続プラスチックフィルム材料の形体とすることができる内側束縛層に結合された、平方メートル当り約３０グラムの坪量のポリエステル繊維の不織布基材などの２つの外側水流交絡基材の積層体を含み、加熱すると内側束縛層が収縮して、外側層に表面質感を提供することができる。
【００７２】
本発明の一実施形態では、基材の表面は、本質的に平らである。本発明の別の実施形態では、基材の表面は、任意に、隆起及び／又は低下部分を含んでもよい。これらは、ロゴ、しるし、商標、幾何学的パターン、ワイプが洗浄を意図された表面のイメージ（例えば、幼児臀部、大人の顔、果物、おもちゃなど）の形態とすることができる。これらは、基材表面上に無作為に配列されても、何かの形態の繰返しパターンでもよい。これらは、基材表面の片側上にあっても、両側上にあってもよい。一実施形態では、基材は、基材の繰返しパターン、又は交互する隆起及び低下部分を含む。基材表面内又は上のこの変化には、どのブランド又はタイプのシート形体の製品が使用されているか、あるいはシート形体の製品が適用される表面の洗浄を助ける、使用を意図されたシート形体の製品に関する情報を消費者に伝えることが含まれていてもよい。一実施形態では、消費者に接触する基材の表面は滑らかであるが、洗浄される品目に接触する反対面は粗い又は何らかの方式で不規則である。理論により制限されるものではないが、表面内又は上の変化が、拭取り作用に加えて、機械的な作用力を表面に提供すると考えられている。
【００７３】
本発明の１つの任意実施形態では、基材はフラッシャブルである。すなわち、基材は、トイレ又は移動式洗面台などに流すことにより処理可能であって、トイレを閉塞させることがない、又は汚水処理システムのために、問題となることがない。
【００７４】
本発明の別の任意実施形態では、基材は生分解性である。例えば、基材は、ポリエステルアミドなどの生分解性材料で作成可能である。
【００７５】
（ｉｉ）物質の組成物
本発明のシート形体の製品は、物質の組成物を放出可能に担持することができる。乳児用ワイプやキッチンタオルなどの本発明のシート形体の製品の意図される最終用途が、基材及び物質の組成物の選択に重要な役割を果たす。物質の組成物は、液体；水中油型、油中水型、マイクロエマルションなどのエマルション；液体中液体型、液体中固体型などの懸濁液；ペースト又は類似半固体などの形態とすることができる。物質の組成物の選択は、配合者の任意である。
【００７６】
好適な物質の組成物の製造又は配合、並びにシート形体の製品を作成するための基材との組み合わせは、周知であり、この発明の要素ではない。次の記述は、系統的な説明の便宜のためであり、本明細書で使用する物質の組成物のタイプを限定することは意図していない。
【００７７】
本発明の一実施形態では、物質の組成物は、シート形体製品の分配前の基材の上に放出可能に担持される。代替実施形態では、物質の組成物は、横方向縁部の少なくとも１つにより基材に添加されて、シート形体の製品を形成する。別の代替実施形態では、物質の組成物の一部は基材上に存在するが、物質の組成物の別の一部は、横方向縁部の少なくとも１つにより基材に添加されて、シート形体の製品を形成する。
【００７８】
シート形体の製品を向けることができる広範な用途には：乳児用ワイプ又はワイプにおけるような乳児及び／又は幼児の洗浄；子供用ワイプ；プロクターアンドギャンブル社（The Procter & Gamble Company）から入手可能な「フレッシュメイツ（FRESH MATES：登録商標）」などのウェットタイプのトイレットペーパー；硬質表面の洗浄、典型的には台所及び浴室で見出されるもの、例えば硬質表面洗浄ワイプ、より特定すればキッチンタオル、浴室ワイプ、皿洗いふきん、窓拭き布、床洗浄装置内で使用する、例えばプロクターアンドギャンブル社（The Procter & Gamble Company）から入手可能なスイッファー（SWIFFER：登録商標）床洗浄装置内などで使用するための使い捨て布地におけるようなもの；人々の洗浄、例えば、入浴／シャワーで使用するための製品、メークアップ除去のための製品、パーソナルワイプにおいては、性器洗浄用ワイプ、皮膚及び／又は毛髪コンディショナーに加えて、顔クレンジング、皮膚コンディショナー、軟膏、日焼け止め剤、防虫剤用の製品；抗菌ワイプ、衛生ワイプなどの、抗菌又は衛生製品の提供；ざそうなどの処置のためのワイプなどの医療処置の提供；ペットの洗浄又は手入れ用の製品；眼鏡洗浄用の製品、自動車内外両面洗浄用の製品などが含まれるが、これらに限定されない。物質の組成物の様々な構成成分並びに基材は、シート形体の製品の所望の用途によって決まる。シート形体の製品が乳児用ワイプとして使用されるものである場合には、物質の組成物は、乳児用ワイプ内で使用するのに好適な構成成分、例えば、水、界面活性剤類、皮膚保護成分、子供に安全な防腐剤、緩衝剤などを含有する。同様に、組成物が硬質表面洗浄剤として使用するためのものである場合には、物質の組成物は、硬質表面洗浄ワイプ内で使用するのに好適な構成成分、例えば漂白剤、水、界面活性剤類、溶媒、向水性物質、抗菌剤、縞防止剤などを含有する。
【００７９】
物質の組成物のｐＨは、選択されたｐＨ範囲がシート形体の製品の所望の用途に対して多少なりとも好適であるように、シート形体の製品の最終用途に従って変更されるものである。通常は、ｐＨは、約４〜約１０の範囲である。同様に、物質の組成物は、透明でも、半透明でも、不透明でも、又は色付きでもよい。
【００８０】
物質の組成物の好適な構成成分の例には：担体、例えば水、有機溶媒（エタノール、多価アルコールなど、しかしこれらに限定されない）、及びこれらの混合部など；界面活性剤、例えば陰イオン性、非イオン性、双性イオン性、両性、陽イオン性、及びこれらの混合物など；漂白剤、例えばＮａＯＣｌなどの塩素漂白剤、過酸化水素などの酸素系漂白剤、及びこれらの混合物など；漂白活性化剤；漂白剤触媒、例えばノナノイルオキシベンゼンスルフォネート（Nonanoyloxybenzenesulfonate）（ＮＯＢＳ）、テトラアセチルエチレンジアミン（ＴＥＡＤ）、及びこれらの組み合わせなど；防腐剤；増粘剤；酵素；ジメチコンなどの皮膚軟化剤；鉱油、ラノリンなど；皮膚保護剤；皮膚沈静助剤；植物抽出物、例えばアロエ、カモミールなど；コンディショナー；保湿剤；芳香剤；シクロデキストリン類；ビタミン類；香料可溶化剤；キレート剤類；抗菌剤；消毒剤；緩衝剤；向水性物質；プロセス助剤；ポリマー；腐食防止剤；ビルダー；汚れ放出ポリマー；ポリマー分散剤；電解質；研磨剤；殺菌剤；くもり阻害物質；抗カビ又はかび汚れ防止剤；防虫剤；酸化防止剤；日焼け止め剤；起泡増進剤；起泡抑制剤；泡安定剤；充填材；顔料；染料；及びこれらの組み合わせが含まれるが、これらに限定されない。実例とはなるが限定するものではない幾つかの追加成分は、米国特許第５，５３４，２６５号（フォウラー（Fowler）、１９９６年７月９日発行）、同第５，０４３，１５５号（プチャルスキー（Puchalski）、１９９１年８月２７日発行）、同第６，３００，３０１号（ムーア（Moore）、２００１年１０月９日発行）、同第６，３６１，７８４号（ブレナン（Brennan）、２００２年３月２６日発行）、同第６，０８３，８５４号（ボグダンスキー（Bogdanski）、２０００年７月４日発行）、同第５，６４８，０８３号（ブリースツナー（Blieszner）、１９９７年７月１５日発行）、同第５，０４３，１５５号（プチャルスキー（Puchalski）、１９９７年７月１５日発行）、同第６，２０７，５９６号（ルウルケ（Rourke）、２００１年３月２７日発行）、同第５，８８８，５２４号（コール（Cole）、１９９９年３月３０日発行）、同第５，８７１，７６３号（ルー（Luu）、１９９９年２月１６日発行）、同第４，７４１，９４４号（ジャクソン（Jackson）、１９８８年５月３日発行）、同第３，７８６，６１５号（バウアー（Bauer）、１９７４年１月２２日発行）、同第６，３４０，６６３号（デレオ（Deleo）、２００２年１月２２日発行）、及び同第６，４４０，４３７号（クルジシク（Krzysik）、１９７４年１月２２日発行）に見出すことができる。
【００８１】
物質の組成物は、基材グラム当りの物質の組成物が約０．１〜約２０グラム、より好ましくは約０．５〜約１５グラム、更により好ましくは約１〜約１０グラムの量で、基材上に放出可能に担持されることが好ましい。
【００８２】
本発明の特定の実施形態を例示し記載したが、本発明の精神及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図面の簡単な説明】
【００８３】
【図１】本発明の容器の１つの実施形態の側面図。
【図２】図１の容器の上面図。
【図３】図１の容器の正面図。
【図４】図１の容器の一代替実施形態の２−２に沿う断面図。
【図５】図４の部分６の拡大図。
【図６】図１の容器の一代替実施形態の２−２に沿う断面図。
【図７】図１の容器の一代替実施形態の側面図。
【図８】図１の容器の一代替実施形態の側面図。
【図９】図１の容器の一代替実施形態の側面図。
【図１０】本発明の容器の一実施形態の側面図。
【図１１】本発明の容器の一実施形態の側面図。
【図１２】図１１の容器の正面図。
【図１３】図１１の容器の底面図。
【図１４】本発明の容器の一実施形態の側面図。
【図１５】図１４の容器の上面図。
【図１６】図１４の容器の正面図。
【図１７】本発明の容器の一実施形態の斜視図。
【図１８】本発明の容器の一実施形態の斜視図。
【図１】
2006515198.tif 000003
【図２】
2006515198.tif 000004
【図３】
2006515198.tif 000005
【図４】
2006515198.tif 000006
【図５】
2006515198.tif 000007
【図６】
2006515198.tif 000008
【図７】
2006515198.tif 000009
【図８】
2006515198.tif 000010
【図９】
2006515198.tif 000011
【図１０】
2006515198.tif 000012
【図１１】
2006515198.tif 000013
【図１２】
2006515198.tif 000014
【図１３】
2006515198.tif 000015
【図１４】
2006515198.tif 000016
【図１５】
2006515198.tif 000017
【図１６】
2006515198.tif 000018
【図１７】
2006515198.tif 000019
【図１８】
2006515198.tif 000020
【国際調査報告】
2006515198.tif 000021
2006515198.tif 000022